(57)【要約】【課題】  流水エネルギーで得られた水車の回転力を低下させることなく動力手段にじかに伝達するように構成させることで、回転力を電気エネルギーに変換する部品類が低減できる水力駆動装置を実現する。【解決手段】  水通路２内の流水エネルギーにより回転する水車１２と、この水車１２の回転力を間接的に水通路２外に取り出す動力伝達機構１４ａ、１４ｂと、この動力伝達機構１４ａ、１４ｂで取り出された回転力により駆動する送風機１７とを備える送風ユニット１０において、動力伝達機構１４ａ、１４ｂは、水車１２に固設された第１磁石１４ａと送風機１７に固設された第２磁石１４ｂとの磁気力によって水車１２の回転力を水通路２外に取り出すように構成した。これにより、回転力を電気エネルギーに変換する部品類が低減できる。【選択図】        図１
2006063887.tif 000002
【特許請求の範囲】
【請求項１】
水通路（２）内に配置され、前記水通路（２）内の流水エネルギーにより回転する水車（１２）と、
前記水車（１２）の回転力を直接的に前記水通路（２）外に取り出す動力伝達機構（１５）と、
前記動力伝達機構（１５）に連結され、前記動力伝達機構（１５）で取り出された回転力により駆動する動力手段（１７、１８）とを具備することを特徴とする水力駆動装置。
【請求項２】
前記水車（１２）および前記動力手段（１７、１８）は、その回転軸（１２ａ）が同軸上に一体で構成され、
前記回転軸（１２ａ）には、Ｕパッキンからなる軸受部材（１６）が設けられ、
前記動力伝達機構（１５）は、前記回転軸（１２ａ）を前記軸受部材（１６）で前記水通路（２）の内外を気密することにより、前記水車（１２）の回転力を前記水通路（２）外に取り出すことを特徴とする請求項１に記載の水力駆動装置。
【請求項３】
水通路（２）内に配置され、前記水通路（２）内の流水エネルギーにより回転する水車（１２）と、
前記水車（１２）の回転力を間接的に前記水通路（２）外に取り出す動力伝達機構（１４ａ、１４ｂ）と、
前記動力伝達機構（１４ａ、１４ｂ）に連結され、前記動力伝達機構（１４ａ、１４ｂ）で取り出された回転力により駆動する動力手段（１７、１８）とを具備することを特徴とする水力駆動装置。
【請求項４】
前記水車（１２）に固設された第１磁石（１４ａ）と、前記動力手段（１７、１８）に固設された第２磁石（１４ｂ）とを備え、
前記動力伝達機構（１４ａ、１４ｂ）は、前記第１磁石（１４ａ）と前記第２磁石（１４ｂ）との磁気力によって前記水車（１２）の回転力を前記水通路（２）外に取り出すことを特徴とする請求項３に記載の水力駆動装置。
【請求項５】
前記水通路（２）を形成するとともに前記水車（１２）が配設される第１筐体（１１）と、前記動力手段（１７、１８）が配設される第２筐体（１９）とが設けられ、
前記第１筐体（１１）と前記第２筐体（１９）とは、前記第２筐体（１９）が着脱可能な結合手段により結合するように形成したことを特徴とする請求項３または請求項４に記載の水力駆動装置。
【請求項６】
前記動力手段（１７、１８）は、風を送風する送風機（１７）を有する送風ユニット（１０）であることを特徴とする請求項１ないし請求項５のいずれか一項に記載の水力駆動装置。
【請求項７】
前記送風ユニット（１０）は、芳香剤と組み合わせて香り発生器として用いられることを特徴とする請求項６に記載の水力駆動装置。
【請求項８】
前記送風ユニット（１０）は、消臭剤と組み合わせて消臭器として用いられることを特徴とする請求項６に記載の水力駆動装置。
【請求項９】
前記送風ユニット（１０）は、流し台、もしくは洗面台のいずれかのキャビネット内の収納空間に設置し、前記送風機（１７）により前記キャビネット内を換気する換気扇として用いられることを特徴とする請求項６に記載の水力駆動装置。
【請求項１０】
前記動力手段（１７、１８）は、液体を圧送するポンプ（１８）を有するポンプユニット（１０ａ）であることを特徴とする請求項１ないし請求項５のいずれか一項に記載の水力駆動装置。
【請求項１１】
前記ポンプユニット（１０ａ）は、液体洗剤、液体消臭剤、もしくは液体除菌剤のいずれかを便器に流す便器洗浄器として用いられることを特徴とする請求項１０に記載の水力駆動装置。
【発明の詳細な説明】
【技術分野】
【０００１】
本発明は、水通路を流れる水の流水エネルギーを利用する水力駆動装置に関するものであり、特に、水通路内に設けられた水車の回転力を水通路外に伝達するための動力伝達機構に関する。
【背景技術】
【０００２】
従来、この種の水力駆動装置として、例えば、特許文献１に示すように、水通路内に水車を配置し、水通路を流れる水の流水エネルギーで水車を回転し、この水車の回転力により発電機を回転して得られた電気エネルギーをバッテリに蓄え、蓄えた電力を電源として、人体の有無を検知する赤外線センサ、水通路を開閉する電磁弁およびこれらを制御する制御装置に給電するように構成した自己発電式の自動給水装置が知られている。
【０００３】
つまり、水車の回転力を電力に変換して電源として蓄え、電気部品に蓄えた電力を給電するように構成している。これにより、外部からの電源の供給を不要としている（例えば、特許文献１参照。）。
【特許文献１】特公昭６１−５７５１４号公報
【発明の開示】
【発明が解決しようとする課題】
【０００４】
しかしながら、上記特許文献１によれば、例えば、自動給水装置の外部に送風モータを併設させて蓄えた電力を給電するようにすると、水車による回転エネルギーを電気エネルギーに変換して、バッテリに蓄電させ、さらに、送風モータが電気エネルギーから回転エネルギーに変換しているため効率が悪い問題がある。
【０００５】
さらに、水車の他に、構成部品として少なくとも発電するための発電機、発電された電力を蓄えるバッテリ、制御装置、および送風モータを必要とするため部品点数が多くなるとともに、部品コストが割高となる問題がある。
【０００６】
そこで、本発明の目的は、上記点に鑑みたものであり、流水エネルギーで得られた水車の回転力を低下させることなく動力手段にじかに伝達するように構成させることで、回転力を電気エネルギーに変換する部品類が低減できる水力駆動装置を提供することにある。
【課題を解決するための手段】
【０００７】
上記、目的を達成するために、請求項１ないし請求項１１に記載の技術的手段を採用する。すなわち、請求項１に記載の発明では、水通路（２）内に配置され、水通路（２）内の流水エネルギーにより回転する水車（１２）と、この水車（１２）の回転力を直接的に水通路（２）外に取り出す動力伝達機構（１５）と、この動力伝達機構（１５）に連結され、動力伝達機構（１５）で取り出された回転力で駆動する動力手段（１７、１８）とを具備することを特徴としている。
【０００８】
請求項１に記載の発明によれば、例えば、水車（１２）と動力手段（１７、１８）とを直接連結することで、水車（１２）の回転力をじかに動力手段（１７、１８）に伝達することができる。これにより、水車（１２）の回転力を電気エネルギーに変換させてバッテリに電力を蓄え、その蓄えた電力を電源として送風モータを駆動する方式と比較して回転力を電気エネルギーに変換する部品類が低減できる。しかも、動力手段（１７、１８）に電源による駆動をしなくても良いので動力手段（１７、１８）の部品コストを低減することができる。
【０００９】
請求項２に記載の発明では、水車（１２）および動力手段（１７、１８）は、その回転軸（１２ａ）が同軸上に一体で構成され、回転軸（１２ａ）には、Ｕパッキンからなる軸受部材（１６）が設けられ、動力伝達機構（１５）は、回転軸（１２ａ）を軸受部材（１６）で水通路（２）の内外を気密することにより、水車（１２）の回転力を水通路（２）外に取り出すことを特徴としている。
【００１０】
請求項２に記載の発明によれば、Ｕパッキンは摺動抵抗の少なくシール性の良い軸受部材（１６）であるから水車（１２）の回転力を低下させずに水通路（２）外に取り出すことができる。
【００１１】
請求項３に記載の発明では、水通路（２）内に配置され、水通路（２）内の流水エネルギーにより回転する水車（１２）と、この水車（１２）の回転力を間接的に水通路（２）外に取り出す動力伝達機構（１４ａ、１４ｂ）と、この動力伝達機構（１４ａ、１４ｂ）に連結され、動力伝達機構（１４ａ、１４ｂ）で取り出された回転力により駆動する動力手段（１７、１８）とを具備することを特徴としている。
【００１２】
請求項３に記載の発明によれば、具体的には、動力伝達機構（１４ａ、１４ｂ）を請求項４に示すように、第１磁石（１４ａ）と第２磁石（１４ｂ）で構成することで、水車（１２）の回転力を間接的に動力手段（１７、１８）に伝達することができる。これにより、水車（１２）の回転力を電気エネルギーに変換させてバッテリに電力を蓄え、その蓄えた電力を電源として送風モータを駆動する方式と比較して回転力を電気エネルギーに変換する部品類が低減できる。しかも、動力手段（１７、１８）に電源による駆動をしなくても良いので動力手段（１７、１８）の部品コストを低減することができる。
【００１３】
請求項４に記載の発明では、水車（１２）に固設された第１磁石（１４ａ）と、動力手段（１７、１８）に固設された第２磁石（１４ｂ）とを備え、動力伝達機構（１４ａ、１４ｂ）は、第１磁石（１４ａ）と第２磁石（１４ｂ）との磁気力によって水車（１２）の回転力を水通路（２）外に取り出すことを特徴としている。請求項４に記載の発明によれば、水通路（２）内外が気密されており、動力伝達係数を上記請求項２より高くすることができる。
【００１４】
請求項５に記載の発明では、水通路（２）を形成するとともに水車（１２）が配設される第１筐体（１１）と、動力手段（１７、１８）が配設される第２筐体（１９）とが設けられ、第１筐体（１１）と第２筐体（１９）とは、第２筐体（１９）が着脱可能な結合手段により結合するように形成したことを特徴としている。
【００１５】
請求項５に記載の発明によれば、水車（１２）の回転力による動力源を収容した第１筐体（１１）と、動力を受けて動作する動力手段（１７、１８）を収容した第２筐体（１９）が着脱可能であるため、施工現場において、例えば、送風ユニット（１０）からポンプユニット（１０ａ）への付け替えや、香り発生器から消臭器への付け替えが用途目的に応じて動力手段（１７、１８）の付け替えが容易に行なうことができる。
【００１６】
請求項６に記載の発明では、動力手段（１７、１８）は、風を送風する送風機（１７）を有する送風ユニット（１０）であることを特徴としている。請求項６に記載の発明によれば、水車（１２）の回転力で水通路（２）外近傍の空気を送風することができる。
【００１７】
請求項７に記載の発明では、送風ユニット（１０）は、芳香剤と組み合わせて香り発生器として用いられることを特徴としている。請求項７に記載の発明によれば、無電源の香り発生器が容易に構成できる。
【００１８】
請求項８に記載の発明では、送風ユニット（１０）は、消臭剤と組み合わせて消臭器として用いられることを特徴としている。請求項８に記載の発明によれば、無電源の消臭器が容易に構成できる。
【００１９】
請求項９に記載の発明では、送風ユニット（１０）は、流し台もしくは洗面台のいずれか一方のキャビネット内の収納空間に設置し、送風機（１７）によりキャビネット内を換気する換気扇として用いられることを特徴としている。請求項９に記載の発明によれば、無電源の換気扇が容易に構成できる。これにより、流し台および洗面台のキャビネット内の換気ができる。
【００２０】
請求項１０に記載の発明では、動力手段（１７、１８）は、液体を圧送するポンプ（１８）を有するポンプユニット（１０ａ）であることを特徴としている。請求項１０に記載の発明によれば、水車（１２）の回転力で水通路（２）外近傍で流体を圧送するポンプユニット（１０ａ）が構成できる。
【００２１】
請求項１１に記載の発明では、ポンプユニット（１０ａ）は、液体洗剤、液体消臭剤、もしくは液体除菌剤のいずれかを便器に流す便器洗浄器として用いられることを特徴としている。請求項１１に記載の発明によれば、無電源で便器洗浄器が容易に構成できる。
【００２２】
なお、上記各手段の括弧内の符号は、後述する実施形態の具体的手段との対応関係を示すものである。
【発明を実施するための最良の形態】
【００２３】
（第１実施形態）
以下、本発明の第１実施形態における水力駆動装置を図１ないし図３に基づいて説明する。図１は本発明の水力駆動装置を送風ユニット１０に適用した一例であり、送風ユニット１０の全体構成を示す模式図である。図２および図３は送風ユニット１０の応用例を示す説明図である。
【００２４】
本実施形態の水力駆動装置である送風ユニット１０は、図１に示すように、給水用配管１の中途に設置されている。送風ユニット１０は、水車１２、動力手段である送風機１７、および筐体１１から構成しており、水車１２の回転力で間接的に水通路２外に設けられた送風機１７を回転させるように構成している。
【００２５】
まず、筐体１１は樹脂材で形成され、内部に仕切り板１１ａを形成して水通路２の内外とを区画し、水通路２の上流端、および下流端が給水用配管１に接続されている。また、水通路２外には吸入口１１ｂが形成されている。なお、上流端と給水用配管１および下流端と給水用配管１は図示しないＯリングなどの気密部材によりシールされている。
【００２６】
水車１２は、筐体１１に形成された水通路２内に流水エネルギーにより回転するように配置され、送風機１７は仕切り板１１ａの上方、つまり、水通路２外に水車１２と略同軸上に配置されている。より具体的には、水車１２は、回転軸１２ａの上方側に第１磁石１４ａが固設され、その回転軸１２ａの両端が軸受１３により回転自在に支持されている。つまり、第１磁石１４ａが水車１２と一体構成しているので水車１２が回転すると第１磁石１４ａが回転する。なお、軸受１３は筐体１１に固設されている。
【００２７】
一方、送風機１７は回転軸１７ａの下方側に第２磁石１４ｂが固設され、上方側にファンが形成されて、回転軸１７ａの両端が軸受１３により回転自在に支持されている。ここで、第１磁石１４ａおよび第２磁石１４ｂは、略円形状に形成され、その円周方向にＮ、Ｓ極が交互に着磁された永久磁石である。なお、第１磁石１４ａおよび第２磁石１４ｂを請求項で称する動力伝達機構と称する。
【００２８】
次に、以上の構成による送風ユニット１０の作動を説明する。まず、給水用配管１内に水が流れると、流水エネルギーにより水車１２が回転する。そして、水車１２の回転で第１磁石１４ａが回転することで、送風機１７側の第２磁石１４ｂに吸引または反発の磁気力が作用して送風機１７側に間接的に非接触で回転力が伝達されて送風機１７が回転できる。
【００２９】
これにより、水車１２の回転力を低下させずに送風機１７をほぼ同等の回転で回転させることができる。従って、水車１２の回転力を電気エネルギーに変換してバッテリに電力を蓄え、その蓄えた電力を電源として送風モータを駆動させる装置に比べて、回転力を電気エネルギーに変換する部品類が低減できる。
【００３０】
なお、水通路２内にノズルを設け、このノズルから噴出する水流を水車１２に勢いよく当てたり、水通路２内を流れる水に旋回流を形成させて水車１２に勢いよく当たるように構成すれば水車１２の回転数を高めることができる。
【００３１】
次に、送風ユニット１０の応用例を図２および図３に基づいて説明する。図２（ａ）は香り発生器２０に送風ユニット１０を適用した応用例であって、小便器３で用足しをした後に作動する洗浄水で小便器３を洗浄する自動便器洗浄器に併設しても良い。具体的には、図２（ａ）に示すように、自動便器洗浄器の給水用配管１の中途に送風ユニット１０を設けるとともに、送風機１７の下流側に芳香剤２０ａを組み合わせている。
【００３２】
これによれば、小便器３で用足しをすると、洗浄水が流れる毎に、送風機１７が駆動してトイレルーム内に芳香剤が送風される。これにより、無電源で香り発生器２０を作動させることができる。
【００３３】
なお、以上の実施形態では、送風ユニット１０と芳香剤２０ａとを組み合わせて香り発生器２０として応用させたが、これに限らず、具体的に、図２（ｂ）に示すように、送風機１７の下流側に消臭剤２１ａを組み合わせて消臭器２１として応用しても良い。
【００３４】
さらに、図３に示すように、キッチンもしくは洗面台のキャビネット４内に配設される給水用配管１の中途に送風ユニット１０を配置してキャビネット４内を換気する換気扇として応用しても良い。
【００３５】
以上の第１実施形態による水力動力装置によれば、水通路２内の流水エネルギーにより回転する水車１２と、この水車１２の回転力を間接的に水通路２外に取り出す第１磁石１４ａおよび第２磁石１４ｂと、この第１磁石１４ａおよび第２磁石１４ｂで伝達された回転力で駆動する送風機１７を具備することにより、水車１２の回転力を低下させずに送風機１７をほぼ同等の回転で回転させることができる。
【００３６】
従って、水車１２の回転力を電気エネルギーに変換してバッテリに電力を蓄え、その蓄えた電力を電源として送風モータを駆動させる装置に比べて、回転力を電気エネルギーに変換する部品類が低減できる。しかも、送風機１７を電源による駆動をしなくても良いので送風機１７の部品コストを低減することができる。
【００３７】
また、この送風ユニット１０と芳香剤２０ａとを組み合わせて香り発生器２０として用いることにより、無電源の香り発生器２０が容易に構成できる。また、芳香剤２０ａの代わりに消臭剤２１ａと送風ユニット１０とを組み合わせることで無電源の消臭器２０が容易に構成できる。
【００３８】
さらに、送風ユニット１０を流し台もしくは洗面台のキャビネット４内の収納空間に設置することで、送風機１７による流し台もしくは洗面台のキャビネット４内を換気する換気扇が無電源で容易に構成できる。さらに、送風ユニット１０は送風だけではなく送風機１７の形状を逆にするか回転方向を逆転させて吸気ユニットとして用いても良い。
【００３９】
（第２実施形態）
以上の第１実施形態では、動力伝達機構として、水車１２側に第１磁石１４ａを設け、送風機１７側に第２磁石１４ｂを設けて水車１２の回転力を送風機１７に伝達するように構成したが、これに限らず、水車１２の回転力を直接的に送風機１７に伝達するように動力伝達機構を構成しても良い。
【００４０】
具体的には、図４に示すように、水車１２の回転軸１２ａを水通路２外に突き出すように形成し、その回転軸１２ａの一端に送風機１７を設けるとともに、回転軸１２ａにＵパッキンからなる軸受部材１６を介して水通路２内外を気密するように構成している。
【００４１】
言い換えれば、水車１２の回転軸１２ａを同軸上に一体で構成して送風機１７を設け、かつ回転軸１２ａをＵパッキンからなる軸受部材１６で水通路２の内外を気密するように構成している。なお、図中に示す１１ｃは、軸受部材１６を仕切り板１１ｂに固定する締結部材である。従って、本実施形態の動力伝達機構１５は、図中に示す回転軸１２ａ、軸受部材１６、および締結部材１１ｃから構成している。
【００４２】
以上の第２実施形態による水力駆動装置によれば、Ｕパッキンは摺動抵抗の少なくシール性の良い軸受部材１６であるから水車１２の回転力を低下させずに水通路２外に取り出すことができる。
【００４３】
これにより、水車１２と送風機１７とを直接連結することで、水車１２の回転力をじかに送風機１７に伝達することができる。従って、第１実施形態と同じように、水車１２の回転力を電気エネルギーに変換させてバッテリに電力を蓄え、その蓄えた電力を電源として送風モータを駆動する方式と比較して回転力を電気エネルギーに変換する部品類が低減できる。
【００４４】
（第３実施形態）
以上の実施形態では、本発明の水力駆動装置を送風ユニット１０に適用したが、これに限らず、ポンプユニット１０ａに適用させても良い。図５（ａ）および図５（ｂ）はポンプユニット１０ａの応用例を示す説明図であり、ポンプユニット１０ａを自動便器洗浄器に併設して、洗浄水の他に小便器３に洗剤を流すものである。また、図６はポンプユニット１０ａの全体構成を示す模式図である。
【００４５】
具体的には、図５（ａ）および図５（ｂ）に示すように、自動便器洗浄器の給水用配管の１の中途に、ポンプユニット１０ａと、そのポンプユニット１０ａに洗剤を供給する洗剤供給手段２２と、ポンプユニット１０ａ内に構成される動力手段であるポンプ１８に洗剤を供給する洗剤供給管２３と、洗剤吐出管２４とから構成している。
【００４６】
そして、ポンプユニット１０ａは、図６に示すように、第２磁石１４ｂに固設する回転軸１８ａの一端に減速手段１８ｂを介して、動力手段として送風機１７の代わりにポンプ１８を設けたものである。減速手段１８ｂは、例えば、ギアボックスからなり水車１２の回転力を減速する装置である。これによれば、粘度の高い洗剤などの液体を低トルクの動力で洗剤吐出管２４に洗剤を吐出させることができる。
【００４７】
以上の構成によれば、小便器３で用足しを行なった後に、自動便器洗浄器から小便器３に洗浄水が吐出されるとともに、ポンプユニット１０ａからも小便器３に洗剤を吐出できる（図５（ｂ）に示すＡが洗浄水で、Ｂが洗剤である。）。これにより、洗浄水のみのときに比べて洗浄力が向上する。
【００４８】
また、ポンプユニット１０ａを自動便器洗浄器に併設させることで、無電源の便器洗浄器が容易に構成できる。なお、本実施形態では、ポンプユニット１０ａに洗剤を供給したが、これに限らず、臭気を減衰する薬品などの消臭剤や除菌剤を供給しても良い。さらに、第２実施形態と同じように、送風機１７の代わりに減速手段１８ｂを介してポンプ１８を設けても良い。
【００４９】
（第４実施形態）
以上の第１実施形態では、筐体１１は水通路２を形成するとともに、仕切り板１１ａで区画して送風機１７を水通路２外に収容するように構成していたが、これに限らず、水通路２を形成する第１筐体１１と、送風機１７を収容する第２筐体１９とを別体で形成して、第１筐体１１に第２筐体１９を着脱可能な結合手段を介して結合するように構成しても良い。
【００５０】
具体的には、図７および図８に示すように、第１筐体１１は第１実施形態と同じように、樹脂材からなり、水回路２を形成して、内部に水車１２および第１磁石１４ａを収容して水通路２内を流れる流水エネルギーにより水車１２が回転し動力を得るように構成している。そして、仕切り板１１ａの外周縁を水通路２外に突き出すように形成し、その外周縁の先端近傍に内側に突き出す凸部１１ｃが形成されている。
【００５１】
一方、第２筐体１９は内部に送風機１７と第２磁石１４ｂを収容するとともに、その外枠が第１筐体１１に形成した外周縁に嵌合するような溝部１９ｃを形成している。なお、第２筐体１９は第１筐体１１と同じように樹脂材で形成し、かつ溝部１９ｃが凸部１１ｃとの樹脂材のばね特性を活かした嵌合で着脱可能に形成している。
【００５２】
なお、凸部１１ｃおよび溝部１９ｃは、第１筐体１１に第２筐体１９を結合するための結合手段であり、これに限ることはない。また、図中に示す１９ｂは吸入口であって、第１実施形態の１１ｂと同じである。
【００５３】
本実施形態によれば、第１筐体１１に対して送風機１７および第２磁石１４ｂを収容する第２筐体１９が着脱可能となっており、用途目的に応じて、第３実施形態で説明したように、例えば、第２筐体１９の内部にポンプ１８を配設したポンプユニット１０ａを収容して、送風ユニット１０に代えて取り付けるのが容易に行なうことができる。さらに、第１実施形態で述べた、香り発生器２０から消臭器への変更も第２筐体１９を付け替えることで容易に行なえる。
【００５４】
（他の実施形態）
以上の実施形態では、送風ユニット１０、ポンプユニット１０ａを小便器３に設けられる自動便器洗浄器の給水用配管１に設けたが、これに限らず、大便器に設けてもよく、さらに、水道水が流れる給水配管の中途に設けても良い。また、第３実施形態では、液体を圧送するポンプ１８で構成したが、気体を圧送するポンプでも良い。
【図面の簡単な説明】
【００５５】
【図１】本発明の第１実施形態における送風ユニット１０の全体構成を示す模式図である。
【図２】（ａ）および（ｂ）は本発明の第１実施形態における送風ユニット１０の応用例を示す説明図である。
【図３】本発明の第１実施形態における送風ユニット１０の応用例を示す説明図である。
【図４】本発明の第２実施形態における送風ユニット１０の全体構成を示す模式図である。
【図５】（ａ）および（ｂ）は本発明の第３実施形態におけるポンプユニット１０ａの応用例を示す説明図である。
【図６】図５に示すＤ部（ポンプユニット１０ａ）の全体構成を示す詳細図である。
【図７】本発明の第４実施形態における送風ユニット１０の全体構成を示す模式図である。
【図８】図７に示すＥ部の詳細をしめす部分断面図である。
【符号の説明】
【００５６】
２…水通路
１０…送風ユニット
１０ａ…ポンプユニット
１１…筐体、第１筐体
１２…水車
１２ａ…回転軸
１４ａ…第１磁石（動力伝達機構）
１４ｂ…第２磁石（動力伝達機構）
１５…動力伝達機構
１６…軸受部材
１７…送風機（動力手段）
１８…ポンプ（動力手段）
１９…第２筐体
【図１】
2006063887.tif 000003
【図２】
2006063887.tif 000004
【図３】
2006063887.tif 000005
【図４】
2006063887.tif 000006
【図５】
2006063887.tif 000007
【図６】
2006063887.tif 000008
【図７】
2006063887.tif 000009
【図８】
2006063887.tif 000010